(57)【要約】  均一な洗剤組成物は、１００質量部の均一な洗剤組成物を基準として少なくとも約３５質量部の量でアルカリビルダーを含む。均一な洗剤組成物は、アルカリビルダーを分散させるためのポリカルボキシレート、及びアルカリバインダーを更に分散させるための溶媒も含む。溶媒は、１００質量部の均一な洗剤組成物を基準として約２０〜約４５質量部の量で存在する。均一な洗剤組成物は、２５℃で少なくとも約１５，０００ｃＰの粘度を有する。【特許請求の範囲】
【請求項１】
均一な洗剤組成物であって、
１００質量部の前記均一な洗剤組成物を基準として少なくとも約３５質量部の量で存在するアルカリビルダー；
前記アルカリビルダーを分散させるためのポリカルボキシレート；
前記アルカリバインダーを更に分散させ且つ１００質量部の前記均一な洗剤組成物を基準として約２０〜約４５質量部の量で存在する溶媒
を含み、
２５℃で少なくとも約１５，０００ｃＰの粘度を有する、前記均一な洗剤組成物。
【請求項２】
２５℃で約１９，０００〜約７５０，０００ｃＰの粘度を有する、請求項１に記載の均一な洗剤組成物。
【請求項３】
１００質量部の前記均一な洗剤組成物を基準として約０．１〜約１０質量部の量で存在する非イオン性界面活性剤を更に含む、請求項１又は２に記載の均一な洗剤組成物。
【請求項４】
１００質量部の前記均一な洗剤組成物を基準として約１〜約４５質量部の量でキレート剤を更に含む、請求項１から３までのいずれか１項に記載の均一な洗剤組成物。
【請求項５】
前記キレート剤が、メチルグリシン二酢酸、ニトリロ三酢酸；グリシン二酢酸；エチレンジアミン四酢酸；イミノジスクシンイミド、及びこれらの組み合わせの群から選択されるポリアミノカルボン酸又はその塩を含む、請求項４に記載の均一な洗剤組成物。
【請求項６】
ケイ酸塩を更に含む請求項１から５までのいずれか１項に記載の均一な洗剤組成物であって、
前記ケイ酸塩が、１００質量部の前記均一な洗剤組成物を基準として約１〜約４５質量部の量で存在する；及び／又は
前記ケイ酸塩が、ケイ酸ナトリウム、メタケイ酸ナトリウム、又はそれらの組み合わせを含む、前記均一な洗剤組成物。
【請求項７】
１００質量部の前記均一な洗剤組成物を基準として約０．０１〜約１０質量部の量で存在する酵素を更に含む請求項１から６までのいずれか１項に記載の均一な洗剤組成物。
【請求項８】
請求項１から７までのいずれか１項に記載の均一な洗剤組成物であって、前記ポリカルボキシレートが、
ｉ）スルホン酸アクリレート；
ｉｉ）アクリル酸；
ｉｉｉ）メタクリル酸；
ｉｖ）マレイン酸；
ｖ）アリルエーテル；
ｖｉ）ジイソブテン；
ｖｉｉ）イソプロピルアルコール；及び
ｖｉｉｉ）以下の式（Ｉ）
【化１】
2016509095.tif 000007
（式（Ｉ）中、Ｒ１は水素又はメチル基であり、Ｒ２は直鎖状又は分枝鎖状のＣ１〜Ｃ６アルキレンであり、Ｒ３はそれぞれ個々に直鎖状又は分枝鎖状のＣ２〜Ｃ４アルキレン基であり、Ｒ４は直鎖状又は分枝鎖状のＣ１〜Ｃ６アルキルであり、且つｎは３〜５０の整数である）
のイオン性モノマー；
の群から選択される少なくとも２つのモノマーの重合生成物である、前記均一な洗剤組成物。
【請求項９】
前記ポリカルボキシレートが、前記アクリル酸ｉｉ）の重合生成物であり且つ約２，０００〜約２０，０００の質量平均分子量を有する、請求項８に記載の均一な洗剤組成物。
【請求項１０】
前記ポリカルボキシレートが前記スルホン酸アクリレートｉ）と前記アクリル酸ｉｉ）との重合生成物である、請求項８に記載の均一な洗剤組成物。
【請求項１１】
前記ポリカルボキシレートが前記アクリル酸ｉｉ）、前記マレイン酸ｉｖ）、及び前記アリルエーテルｖ）の重合生成物である、請求項８に記載の均一な洗剤組成物。
【請求項１２】
前記ポリカルボキシレートが前記アクリル酸ｉｉ）と前記イソプロピルアルコールｖｉｉ）との重合生成物である、請求項８に記載の均一な洗剤組成物。
【請求項１３】
前記ポリカルボキシレートが前記マレイン酸ｉｖ）と前記ジイソブテンｖｉｉ）との重合生成物である、請求項８に記載の均一な洗剤組成物。
【請求項１４】
前記ポリカルボキシレートが前記アクリル酸ｉｉ）、前記メタクリル酸ｉｉｉ）、及び前記イオン性モノマーｖｉｉｉ）の重合生成物である、請求項８に記載の均一な洗剤組成物。
【請求項１５】
前記溶媒が水、グリセリン、又はそれらの組み合わせを含む、請求項１から１４までのいずれか１項に記載の均一な洗剤組成物。
【請求項１６】
前記アルカリビルダーが炭酸ナトリウムを含む、請求項１から１５までのいずれか１項に記載の均一な洗剤組成物。
【請求項１７】
均一な洗剤組成物であって、
炭酸ナトリウムを含み且つ１００質量部の前記均一な洗剤組成物を基準として少なくとも約３５質量部の量で存在するアルカリビルダー；
前記アルカリビルダーを分散させるためのポリカルボキシレートであって、
ｉ）約２，０００〜約２０，０００の質量平均分子量を有するアクリル酸の重合生成物、
ｉｉ）スルホン酸アクリレートとアクリル酸との重合生成物、
ｉｉｉ）アクリル酸、マレイン酸、及びアリルエーテルの重合生成物、
ｉｖ）アクリル酸とイソプロピルアルコールとの重合生成物、
ｖ）マレイン酸とジイソブテンとの重合生成物、及び
ｖｉ）アクリル酸、メタクリル酸、及び以下の式（Ｉ）
【化２】
2016509095.tif 000008
（式（Ｉ）において、Ｒ１は水素又はメチル基であり、Ｒ２は直鎖状又は分枝鎖状のＣ１〜Ｃ６アルキレンであり、Ｒ３はそれぞれ個別に直鎖状又は分枝鎖状のＣ２〜Ｃ４アルキレン基であり、Ｒ４は直鎖状又は分枝鎖状のＣ１〜Ｃ６アルキルであり、且つｎは３〜５０の整数である）
のイオン性モノマーの重合生成物
の群から選択される、前記ポリカルボキシレート；
前記アルカリバインダーを更に分散させるための溶媒であって、水、グリセリン又はそれらの組み合わせを含み且つ１００質量部の前記均一な洗剤組成物を基準として約２０〜約４５質量部の量で存在する、前記溶媒；
１００質量部の前記均一な洗剤組成物を基準として約１〜約４５質量部の量で存在し且つ
ｉ）メチルグリシン二酢酸、
ｉｉ）ニトリロ三酢酸、
ｉｉｉ）グリシン二酢酸、
ｉｖ）エチレンジアミン四酢酸、
ｖ）イミノジスクシンイミド、及び
ｖｉ）これらの組み合わせ
の群から選択されるポリアミノカルボン酸又はその塩を含む、キレート剤；
１００質量部の前記均一な洗剤組成物を基準として約０．１〜約１０質量部の量で存在する非イオン性界面活性剤；
ケイ酸ナトリウム、メタケイ酸ナトリウム、又はそれらの組み合わせを含み且つ１００質量部の前記均一な洗剤組成物を基準として約１〜約４５質量部の量で存在するケイ酸塩；及び
アミラーゼ、プロテアーゼ、又はそれらの組み合わせを含み且つ１００質量部の前記均一な洗剤組成物を基準として約０．０１〜約１０質量部の量で存在する酵素；
を含み、
２５℃で約１９，０００〜約７５０，０００ｃＰの粘度を有する、前記均一な洗剤組成物。
【請求項１８】
洗剤パケットであって、
空洞を規定する水溶性パケット；及び
前記空洞内に配置される均一な洗剤組成物であって、
１００質量部の前記均一な洗剤組成物を基準として少なくとも約３５質量部の量で存在するアルカリビルダー、
前記アルカリビルダーを分散させるためのポリカルボキシレート、及び
前記アルカリバインダーを更に分散させ且つ１００質量部の前記均一な洗剤組成物を基準として約２０〜約４５質量部の量で存在する溶媒
を含む前記均一な洗剤組成物
を含み、
前記均一な洗剤組成物が２５℃で少なくとも約１５，０００ｃＰの粘度を有する、前記洗剤パケット。
【請求項１９】
前記水溶性パケットがポリビニルアルコールを含む、請求項１７に記載の洗剤パケット。
【請求項２０】
前記ポリカルボキシレートが、
ｉ）スルホン酸アクリレート；
ｉｉ）アクリル酸；
ｉｉｉ）メタクリル酸；
ｉｖ）マレイン酸；
ｖ）アリルエーテル；
ｖｉ）ジイソブテン；
ｖｉｉ）イソプロピルアルコール；及び
ｖｉｉｉ）以下の式（Ｉ）
【化３】
2016509095.tif 000009
（式（Ｉ）中、Ｒ１は水素又はメチル基であり、Ｒ２は直鎖状又は分枝鎖状のＣ１〜Ｃ６アルキレンであり、Ｒ３はそれぞれ独立して直鎖状又は分枝鎖状のＣ２〜Ｃ４アルキレン基であり、Ｒ４は直鎖状又は分枝鎖状のＣ１〜Ｃ６アルキルであり、且つｎは３〜５０の整数である）
のイオン性モノマー
の群から選択される少なくとも２つのモノマーの重合生成物である、請求項１８又は１９に記載の洗剤パケット。
【発明の詳細な説明】
【技術分野】
【０００１】
関連出願の相互参照
本出願は、その全体が参照により本願明細書に組み込まれる２０１３年１月３日に出願された米国仮特許出願第６１／７４８，６８７号の利益を主張する。
【０００２】
発明の属する技術分野
本開示は、概して均一な洗剤配合物に関する。更に詳細には、本開示は、アルカリビルダー（alkalinity builder）、ポリカルボキシレート、及び溶媒を含む均一な洗剤組成物、並びに該均一な洗剤組成物がそこに配置された洗剤パケットに関する。
【０００３】
関連技術の説明
自動食器洗浄機用の洗剤組成物は、当該技術分野で理解されている。通常、洗剤組成物は、粒状の固体又は自由流動液体として直接分配されている。しかしながら、多くの消費者は、例えば、流出性薬品の保存に対する一般的な嫌悪、より制御可能な媒体への要求、安全上の懸念等の様々な理由から粒状固体及び自由流動性液体との接触を避けることを好む。粒状固体又は自由流動性液体の使用を回避する方法の１つは、粘性ゲルを作り出すことである。しかしながら、従来の洗剤組成物に組み込まれる固体原料の量のために、かかる粘性ゲルは、かなりの量の望ましくない溶剤を必要とする。
【０００４】
粒状固体又は自由流動性液体の使用を回避するための別の方法は、水溶性パケットに洗剤組成物を組み込むことである。しかしながら、パケット自体が水溶性であるため、洗剤組成物は、大量の溶媒、例えば、水を含有することができず、そうでなければ、パケットが溶解する。このように、水溶性パケット内に設けられた洗剤組成物は、固体原料と液体原料との組み合わせであり、均一な混合物ではない。得られる混合物が安定でも分配可能でもないため、固体及び液体原料は、パケットに配置される前に直接均質化されない。更に、しばしば、固形原料から液体原料を分離する必要があり、それによって、水溶性パケットの複雑さとコストを増大させる。また、パケット内の固体原料と液体原料の両方を配置する費用は、パケットを製造するためのコストを増加させる。
【０００５】
従って、水溶性パケットに悪影響を与えることなく、安定で且つ水溶性パケット内に分配可能な高固体均一性の洗剤組成物を創出する機会が残っている。
【０００６】
発明の概要及び利点
本開示は均一な洗剤組成物を提供する。均一な洗剤組成物は、アルカリビルダーを含む。アルカリビルダーは、１００質量部の均一な洗剤組成物を基準として、少なくとも約３５質量部の量で存在する。均一な洗剤組成物は、アルカリビルダーを分散させるためのポリカルボキシレートも含む。均一な洗剤組成物は、アルカリバインダーを更に分散させるための溶媒を更に含む。溶媒は、１００質量部の均一な洗剤組成物を基準として約２０〜約４５質量部の量で存在する。均一な洗剤組成物は、２５℃で少なくとも約１５，０００ｃＰの粘度を有する。
【０００７】
均一な洗剤組成物は、一般にアルカリビルダーによって付与される固形分の高さに関わらず、優れた流動性と安定性を有する。均一な洗剤組成物の流動性は、均一な洗剤組成物を水溶性パケット中に分配するのに理想的である。更に、均一な洗剤組成物が、均一性と高い固形分を有するために、水溶性パケットは、均一な洗剤組成物による悪影響を受けない。
【０００８】
図面の簡単な説明
本開示の利点は、添付の図面と関連して考慮される際に、以下の詳細な説明の参照によってより良く理解されるようになるため、容易に理解される。
【０００９】
図１Ａは、均一な洗剤組成物の複数の実施態様の散布図であり、均一な洗剤組成物の２５℃での粘度を時間の関数として示す。
【００１０】
図１Ｂは、均一な洗剤組成物の複数の実施態様の散布図であり、均一な洗剤組成物の４０℃での粘度を時間の関数として示す。
【００１１】
図２は、均一な洗剤組成物の複数の実施態様の散布図であり、均一な洗剤組成物の粘度を時間と温度の関数として示す。
【００１２】
図３は、均一な洗剤組成物の複数の実施態様の箱髭図であり、均一な洗剤組成物の洗浄力を示す。
【００１３】
発明の詳細な説明
本開示は、均一な洗剤組成物を提供する。均一な洗剤組成物は、様々な目的に使用されており、特に、自動食器洗浄機での使用に有用である。通常、均一な洗剤組成物は、食器、調理器具、鍋、フライパン、カトラリー、食器、カップ、グラス、ボウル、ソーサー等の洗浄及び／又は殺菌に使用されている。
【００１４】
均一な洗剤組成物は、種々の表面、例えば、限定されずに、硬質、非多孔性、半多孔性、又は部分的多孔性の表面の洗浄及び／又は殺菌に使用され得る。表面は、例えば、限定されずに、油汚れ、無機汚れ、有機汚れ、卵の汚れ、オートミール汚れ、タンパク質汚れ、炭水化物汚れ、デンプン汚れ、動物性脂肪、石けんかす、スケール／石灰沈着、さび、腐食及び酸化に起因する汚れ、ミネラル、及びウォータースポット；インク、カビ、酵母、血液、草、マスタード、コーヒー、紅茶、アルコール、口紅及び化粧品に起因する汚れ、調理油、接着剤残留物、及びこれらの組み合わせを含む汚れで汚染され得る。
【００１５】
均一な洗剤組成物は、通常、優れた洗浄性を有する。これらの特性の一部として、次のうち１つ以上が挙げられる：カルシウム及びマグネシウムなどの硬質ミネラルの結合／不活性化；水の表面張力を低下させて食品の汚れなどの汚れに浸透し且つ引き離すこと；除去された汚れを水中に懸濁及び／又は分散させること；油性／脂肪汚れをけん化すること；タンパク質系の汚れを酵素的に消化すること；タンパク質性やデンプン質の汚れを除去すること；卵や牛乳などのタンパク質汚れに起因する泡を抑制すること；水の表面張力と界面張力を低下させること；熱や水の腐食作用から陶器の模様や金属を保護すること；及び酸性汚れを中和すること。
【００１６】
様々な実施態様では、均一な洗剤組成物は、すぐ下に記載される１つ以上の特性を含み得る１つ以上の優れた洗浄性を有する。洗浄力とは、汚れと表面との間の結合を破壊する能力を含む洗浄性のことである。浸透及び湿潤とは、水が汚れ粒子を包囲することが可能であり、そうでなければ水を弾く、洗浄性のことである。乳化とは、油性汚れを完全に分散され得る小滴へと破壊する能力を含む洗浄性のことである。可溶化とは、汚れがもはや固体粒子ではないように、汚れを溶解する洗浄性のことである。分散性とは、食器洗浄機ラック、食器洗浄機壁などの対象物に汚れ粒子が付着すること、又は洗浄された表面（例えば、食器、グラス及び食器類）に戻ることを防ぐための溶液（例えば、洗浄水）全体に小さな汚れ粒子を拡散させる洗浄性のことである。
【００１７】
均一な洗剤組成物は、水を表面から離し、それによって表面のウォータースポットとフィルミングを最小限にするのにも有用であり得る。フィルムは、通常、固形物を含有する水の蒸発時に食器やガラス製品の上に形成される。洗浄水中の固形物は、汚れの蓄積及び／又は食器、ガラス製品等に存在する汚れから生じ得る。通常、汚れとしては、タンパク質、脂肪及びデンプン系の汚れが挙げられる。水の硬度は、通常、不溶性カルシウム及びマグネシウム塩の形での固形物の存在に寄与する。水の温度も、均一な洗剤組成物の洗浄性に影響し得るが、その際、温度の上昇が、通常、均一な洗剤組成物の洗浄性を増大させる。
【００１８】
「均一な」とは、一般に、均一な洗剤組成物が混合後に肉眼で均一に見えることを意味する。例えば、均一な洗剤組成物のアリコートが、第１の部分と第２の部分に分割される場合、第１の部分は、外観及び化学組成が第２の部分と実質的に同一である。しかしながら、均一な洗剤組成物を倍率機器（例えば、顕微鏡）によって見る観察者が、個々の物理粒子、混合ライン等を識別し得ることが理解されるべきである。
【００１９】
均一な洗剤組成物はアルカリビルダーを含む。アルカリビルダーは、１００質量部の均一な洗剤組成物の質量を基準として少なくとも約３５質量部の量で存在する。均一な洗剤組成物は、アルカリビルダーを分散させるためのポリカルボキシレートを更に含む。均一な洗剤組成物は、また、アルカリバインダーを更に分散させるための溶媒も含む。溶媒は、１００質量部の均一な洗剤組成物を基準として約２０〜約４５質量部の量で存在する。均一な洗剤組成物は、２５℃で少なくとも約１５，０００ｃＰの粘度を有する。
【００２０】
アルカリビルダーに関して、アルカリビルダーは、アルカリ性の環境を作り出すことが可能な任意の材料であってよい。アルカリビルダーは、アルカリ性を構成するための１つ以上の材料を含み得る。換言すれば、アルカリビルダーは、アルカリ性を構成するための単一の原料に限定されない。
【００２１】
特定の実施態様では、アルカリビルダーは金属炭酸塩を含む。金属は、任意のアルカリ金属又はアルカリ土類金属であってよい。特別な実施態様では、アルカリビルダーは炭酸ナトリウムを含む。炭酸ナトリウムは、また、一般に、当該技術分野において、特に無水形態で「ソーダ灰」と呼ばれているか、又は水和／結晶形態で「洗浄ソーダ」と呼ばれている。金属炭酸塩が一般に強アルカリ塩であるため、金属炭酸塩は、アルカリビルダーの複数の成分として又はアルカリビルダーの単独の成分として有用である。金属炭酸塩は、アルカリ性の洗浄粉末を提供し、また、通常、溶液から硬質ミネラルを沈殿させることによって水を軟化させる。アルカリ性の構成に加えて、炭酸ナトリウムは、隔離による軟化とは対照的に、即ち、沈殿させることなく、硬質ミネラルを不溶性の形態に変換することによって水を軟化する傾向がある。金属炭酸塩は、また、タンパク質性やデンプン質の汚れを、分解し且つ上記のような表面から除去するのに有用である。適した等級の金属炭酸塩は、様々な供給者から市販されている。
【００２２】
他の実施態様では、アルカリビルダーとしては金属ケイ酸塩、及び／又は金属クエン酸塩が挙げられる。通常、金属はナトリウム（Ｎａ）又はカリウム（Ｋ）である。しかしながら、金属は限定されず、代替的に遷移金属が挙げられる。特別な実施態様では、アルカリビルダーはクエン酸ナトリウムである。別の特別な実施態様では、アルカリビルダーは、クエン酸ナトリウムと炭酸ナトリウムの両方を含む。金属クエン酸塩は、通常、クエン酸の金属（例えば、Ｎａ又はＫ）塩である。このように、金属クエン酸塩は、幾らかの量のクエン酸自体、例えば、微量のクエン酸を含み得る。クエン酸は、均一な洗剤組成物において追加の成分としても使用され得る。
【００２３】
他の関連する実施態様では、アルカリビルダーは、ケイ酸ナトリウム（メタケイ酸ナトリウムとしても知られている）、炭酸ナトリウム、及びクエン酸ナトリウムのうち１つ以上を含み得る。利用され得る追加の非限定的化合物の例としては、重炭酸ナトリウム、アルミノケイ酸ナトリウム、及びそれらの組み合わせが挙げられる。
【００２４】
様々な実施態様では、アルカリビルダーは、それぞれ１００質量部の均一な洗剤組成物を基準として、約３５〜約８０質量部、約３５〜約６０質量部、約３５〜約５０質量部、又は約４０〜約４５質量部の量で存在する。アルカリビルダーの量は、上記の量に限定されず、上記の量内又はその間の任意の量又は量の範囲を含み得る。
【００２５】
ここでポリカルボキシレートに関して、ポリカルボキシレートは、均一な洗剤組成物中へのアルカリビルダーの分散に有用である。アルカリビルダーを均一な洗剤組成物に分散させることに加えて、ポリカルボキシレートは、用品から除去される汚れの粒子を分散又は懸濁した状態に維持し得るので、粒子は、洗浄水が食器洗浄機から圧送された時に食器洗浄機から更に容易に除去される。
【００２６】
一般に、ポリカルボキシレートは、カルボン酸基又はその塩を含有するポリマーである。様々なポリカルボキシレートが、アルカリビルダーを均一な洗剤組成物に分散させるために利用され得る。
【００２７】
特定の実施態様では、ポリカルボキシレートは、スルホン酸アクリレート基、アクリル酸、メタクリル酸、マレイン酸、アリルエーテル、ジイソブテン、イソプロピルアルコール、及び式（Ｉ）：
【化１】
2016509095.tif 000002
のイオン性モノマーの群から選択される少なくとも２つのモノマーの重合生成物である。
【００２８】
上記の式（Ｉ）において、Ｒ１は水素又はメチル基のいずれかである。Ｒ２は直鎖状又は分枝鎖状のＣ１〜Ｃ６アルキレンのいずれかである。Ｒ３はそれぞれ同じ又は異なり得る。Ｒ３はそれぞれ直鎖状又は分枝鎖状のＣ２〜Ｃ４アルキレン基である。Ｒ４は直鎖状又は分枝鎖状のＣ１〜Ｃ６アルキルである。繰り返し単位の数、ｎは、３〜５０の整数である。
【００２９】
ポリカルボキシレートは、たった１つの種類のモノマーから重合され得ることが理解されるべきである。換言すれば、ポリカルボキシレートは２つの異なるモノマーに限定されない。例えば、一実施態様では、ポリカルボキシレートはスルホン酸アクリレートの重合生成物である。別の実施態様では、ポリカルボキシレートはジイソブテンの重合生成物である。
【００３０】
一実施態様では、ポリカルボキシレートは、スルホン酸アクリレートとアクリル酸の重合生成物である。種々のスルホン酸アクリレートが、アクリル酸と重合し得る。一実施態様では、スルホン酸アクリレートは、２−アクリルアミド−２−メチルプロパンスルホネートである。特別な実施態様では、ポリカルボキシレートは、アクリル酸と２−アクリルアミド−２−メチルプロパンスルホネートのコポリマーである。
【００３１】
別の実施態様では、ポリカルボキシレートは、アクリル酸、マレイン酸、及びアリルエーテルの重合生成物である。特定の実施態様では、アリルエーテルは、ポリエチレングリコールアリルエーテルである。一実施態様では、ポリカルボキシレートは、アクリル酸、マレイン酸、及びアリルエーテルのコポリマーである。別の実施態様では、ポリカルボキシレートは、アクリル酸、マレイン酸、及びポリエチレングリコールアリルエーテルのコポリマーである。
【００３２】
別の実施態様では、ポリカルボキシレートは、アクリル酸とイソプロピルアルコールとの重合生成物である。特定の理論に拘束されるものではないが、イソプロピルアルコールがアクリル酸と反応して、ラクトン官能性を有するポリカルボキシレートを生成すると考えられる。様々な量のイソプロピルアルコールが、アクリル酸と重合してポリカルボキシレートを生成し得る。特別な一実施態様では、ポリカルボキシレートは、アクリル酸とイソプロピルアルコールとのコポリマーである。
【００３３】
別の実施態様では、ポリカルボキシレートは、アクリル酸、メタクリル酸、及び式（Ｉ）のイオン性モノマーの重合生成物である。特別な一実施態様では、ポリカルボキシレートは、アクリル酸、メタクリル酸、及び式（Ｉ）のイオン性モノマーのコポリマーである。
【００３４】
特定の実施態様では、ポリカルボキシレートは、アクリル酸とメタクリル酸との重合生成物である。これらの実施態様では、ポリカルボキシレートは、一般に、約３０，０００〜約１２０，０００ｇ／モル、約４５，０００〜約１０５，０００ｇ／モル、約６０，０００〜約９０，０００ｇ／モル又は約６５，０００〜約７５，０００ｇ／モルの質量平均分子量を有する。
【００３５】
特定の実施態様では、ポリカルボキシレートは、マレイン酸とジイソブテンとの重合生成物である。これらの実施態様では、ポリカルボキシレートは、一般に、約６，０００〜約２０，０００ｇ／モル、約８，０００〜約１８，０００ｇ／モル、約１０，０００〜約１６，０００ｇ／モル、又は約１２，０００〜約１４，０００ｇ／モルの質量平均分子量を有する。
【００３６】
特定の実施態様では、ポリカルボキシレートは、アクリル酸の重合生成物である。これらの実施態様では、ポリカルボキシレートは、一般に、約２，０００〜約２０，０００ｇ／モル、約３，０００〜約１５，０００ｇ／モル、約４，０００〜約１０，０００ｇ／モル、約５，０００〜約９，０００ｇ／モル、又は約６，０００〜約８，０００ｇ／モルの質量平均分子量を有する。
【００３７】
他の実施態様では、ポリカルボキシレートは、ＳＯＫＡＬＡＮ（登録商標）ＣＰ５０、ＳＯＫＡＬＡＮ（登録商標）ＣＰ４４、ＳＯＫＡＬＡＮ（登録商標）ＣＰ１０、ＳＯＫＡＬＡＮ（登録商標）ＣＰ４２、ＳＯＫＡＬＡＮ（登録商標）ＣＰ５、ＳＯＫＡＬＡＮ（登録商標）ＣＰ９、ＳＯＫＡＬＡＮ（登録商標）ＰＡ２５ＣＬ、及びＳＯＫＡＬＡＮ（登録商標）ＰＡ３０ＣＬの商品名でニュージャージー州フローハムパークのＢＡＳＦ社より市販されている。
【００３８】
様々な実施態様では、ポリカルボキシレートは固体である。更なる実施態様では、ポリカルボキシレートは粒状である。更に別の実施態様では、ポリカルボキシレートは溶媒で供給される。本開示は、ポリカルボキシレートが供給される方法に限定されない。例えば、ポリカルボキシレートは、固体として均一な洗剤混合物中に導入され得るか又は溶媒中に溶解され得るか又は溶媒中に分散され得るか又は溶媒中に懸濁され得るか又は膨張したポリカルボキシレートの形であり得る。
【００３９】
様々な実施態様では、ポリカルボキシレートは、それぞれ１００質量部の均一な洗剤組成物を基準として、約０．０１〜約４０質量部、約０．１〜約３０質量部、約１〜約１５質量部、約１．５〜約１０質量部、約２〜約５質量部、又は約２．５〜約４質量部の量で存在する。特定の実施態様では、重合性成分は、１００質量部の均一な洗剤組成物を基準として約２〜約４質量部の量で存在する。ポリカルボキシレートの量は、上記の量に限定されず、上記の量内又はその間の任意の量又は量の範囲を含み得る。
【００４０】
ここで溶媒に関して、溶媒は、均一な洗剤組成物中へのアルカリビルダーの更なる分散に有用である。様々な種類の溶媒がアルカリビルダーの分散に使用され得る。特定の実施態様では、溶媒は水である。他の実施態様では、溶媒は水ではないが、水混和性である。特定の実施態様では、溶媒はグリセリンである。均一な洗剤組成物が２種以上の溶媒を含み得ることが理解されるべきである。特定の実施態様では、溶媒は水及びグリセリンを含む。
【００４１】
溶媒は、溶媒を直接添加することによって又は溶媒を含有する添加剤の添加による溶媒の間接的な添加によって均一な洗剤組成物に添加され得る。換言すれば、均一な洗剤組成物中に含まれる溶媒の合計量は、均一な洗剤組成物に直接添加される溶媒の量と均一な洗剤組成物に添加される添加剤（又は他の原料）内に含有される溶媒の量である。例えば、２０質量部のグリセリンが添加され、５０質量％の水を含む１０質量部の添加剤が添加される場合、この例の溶媒の合計は２５質量部であり、これは２０質量部のグリセリンと添加剤を介して導入される５質量部の水を含む。
【００４２】
様々な実施態様では、溶媒は、それぞれ１００質量部の均一な洗剤組成物を基準として、約２０〜約４５質量部、約２３〜約４２質量部、約２６〜約３９質量部、約２９〜約３６質量部、又は約３２〜約３３質量部の量で存在する。特定の実施態様では、均一な洗剤組成物は、それぞれ１００質量部の均一な洗剤組成物を基準として、約１０〜約２５質量部のグリセリンと、約１０〜約２０質量部の水を含む。更なる実施態様では、均一な洗剤組成物は、それぞれ１００質量部の均一な洗剤組成物を基準として約１７〜約２０質量部のグリセリンと約７〜約１３質量部の水を含む。溶媒の量は、上記の量に限定されず、上記の量内又はその間の任意の量又は量の範囲を含み得る。
【００４３】
均一な洗剤組成物は、２５℃及び１００秒−１の剪断速度で少なくとも約１５，０００ｃＰの粘度を有する。様々な実施態様では、均一な洗剤組成物は、１００秒−１の剪断速度で測定される時に、２５℃で、約１９，０００ｃＰ〜約７５０，０００ｃＰ、約５０，０００ｃＰ〜約４００，０００ｃＰ、約９０，０００ｃＰ〜約２５０，０００ｃＰ、約１１０，０００ｃＰ〜約２２０，０００ｃＰ、約１３０，０００ｃＰ〜約２００，０００ｃＰ、又は約１５０，０００ｃＰ〜約１７０，０００ｃＰの粘度を有する。均一な洗剤組成物の粘度は、上記の値又は上記の値の範囲に限定されず、上記の値内又はその間の任意の値又は値の範囲を含み得る。
【００４４】
実施例の節において更に説明される、図１Ａ、１Ｂ及び２に示すように、均一な洗剤組成物は、一般に、揺変性及び非ニュートン流動特性を有する。また、図１Ａ、１Ｂ及び２に示すように、均一な洗剤組成物の粘度は、通常、温度依存性である。幾つかの実施態様では、均一な洗剤組成物は、低剪断速度で強いずり減粘流動挙動（shear thinning flow behavior）を示す。換言すれば、幾つかの実施態様では、低剪断速度が均一な洗剤組成物に適用される際に、均一な洗剤組成物の粘度は低下し、均一な洗剤組成物は流動し始める。他の実施態様では、均一な洗剤組成物の粘度は、強い温度依存性を示す。更に詳細には、均一な洗剤組成物の粘度は、温度の小さな上昇に伴って、顕著に低下する。更に別の実施態様では、均一な洗剤組成物の粘度は、一定の剪断応力で連続的に低下する、即ち、均一な洗剤組成物は揺変性である。均一な洗剤組成物のレオロジー特性は、これが製造工程を容易にするために望ましい。更に詳細には、均一な洗剤組成物のバッチが製造プロセスで作られた後、粘度は高い。従来から、高粘度の液体は、操作及び小型パッケージへの分配が困難である。均一な洗剤組成物は、均一な洗剤組成物の揺変性、非ニュートン流動特性、及び温度依存性のために、様々な機構（例えば、温度、低剪断速度、及び連続剪断）により低粘稠化され、容易に小さなパッケージに分配され得る。例えば、均一な洗剤組成物は、比較的低い剪断速度で容易に流し込み可能な及び／又は注入可能な粘度まで低粘稠化され得る。あるいは、均一な組成物は、わずかな温度の上昇、例えば、２５℃から４０℃までの上昇によって低粘稠化され得る。
【００４５】
均一な洗剤組成物は、一般に水に分散する。例えば、通常、食器洗浄環境において遭遇する温度（例えば、３５℃以上）では、均一な洗剤は容易に分散する。均一な洗剤組成物は、また、食器洗浄環境よりも低い温度でも分散し得る。
【００４６】
均一な洗剤組成物は、また、キレート剤も含み得る。キレート剤は、通常、メチルグリシン二酢酸（ＭＧＤＡ）、ニトリロ三酢酸（ＮＴＡ）、グリシン二酢酸（ＧＬＤＡ）、エチレンジアミン四酢酸（ＥＤＴＡ）、イミノジスクシンイミド（ＩＤＳ）、及びそれらの組み合わせの群から選択されるポリアミノカルボン酸又はその塩である。通常、塩はアルカリ塩、例えば、ナトリウム塩である。キレート剤としては、ＭＧＤＡ、ＧＬＤＡ、ＥＤＴＡ、ＩＤＳのうち１つ以上、及びそれらの組み合わせが挙げられる。
【００４７】
以下で使用されるように、頭字語ＭＧＤＡは、一般的に、ＭＧＤＡ、又はＭＧＤＡのアルカリ塩、（例えば、ＮＡ３−ＭＧＤＡ）、又はそれらの混合物のいずれかを含むことを意味する。同様に、頭字語ＧＬＤＡは、一般的に、ＧＬＤＡ、又はＧＬＤＡのアルカリ塩のいずれかを含むことを意味する。
【００４８】
一実施態様では、キレート剤は水性であるため、水性媒体、例えば、水中に供給される。他の実施態様では、キレート剤は、無水粉末の形で供給される。様々な実施態様では、キレート剤は、ＭＧＤＡが、それぞれ１００質量部のキレート剤を基準として、約３５〜約９５質量部、約３５〜約８５質量部、又は約３５〜約４５質量部、又は約４０質量部の量でキレート剤中に存在するように、ＭＧＤＡを含む。他の実施態様では、キレート剤は、ＧＬＤＡの粉末形態であり、ＭＧＤＡについて上述したのと同様の量で存在する。キレート化成分はゲルの形態であってもよい。
【００４９】
キレート剤は、従来の住宅、商業、工業、業務用食器洗浄機に見られる水などの水における硬質ミネラル及び／又は金属イオンを不活性化するのに有用である。水の硬度は一般に、カルシウムやマグネシウムなどのミネラルによって水に付与される。その他の金属イオンは、鉄やマンガンなどの溶解した金属を含む。
【００５０】
通常、ＭＧＤＡ及びＧＬＤＡは、沈殿することなく、硬質ミネラル（例えば、カルシウムやマグネシウム）、鉄及びマンガンを不活性化する。沈殿なしの水軟化、即ち、分離によって、ＭＧＤＡとＧＬＤＡを、一般に硬質ミネラルの沈殿によって軟化される炭酸ナトリウムなどの他の化合物から区別する。ＭＧＤＡとＧＬＤＡは、一般に、硬質ミネラルと結合し、それらを溶液中に保持するため、硬質ミネラルは（食品）汚れと結合できない。更に、硬質ミネラル自体も硬質ミネラル／汚れの組み合わせも、通常、不溶性のスポット又はフィルムを食器、ガラス製品等に残さない。
【００５１】
いかなる特定の理論によって拘束又は限定されるものではないが、低分子量のＭＧＤＡは、他のキレート剤又は成分、例えば、ＧＬＤＡに対して大きなキレート／金属イオン封鎖効率をＭＧＤＡに付与すると考えられる。当業者は、ＭＧＤＡとＧＬＤＡが両方とも、一般に、アミノカルボン酸塩として分類されることを理解し得る。均一な洗剤組成物は、ＭＧＤＡ及び／又はＧＬＤＡの使用のみに限定されず、ＭＧＤＡ及び／又はＧＬＤＡの他に１つ以上のキレート剤を含み得ることを理解すべきである。
【００５２】
適切なキレート剤の非限定的な例は、ＴＲＩＬＯＮ（登録商標）Ｍ液、ＴＲＩＬＯＮ（登録商標）Ｍ粉末、ＴＲＩＬＯＮ（登録商標）Ａ、及びＴＲＩＬＯＮ（登録商標）ＢなどのＴＲＩＬＯＮ（登録商標）Ｍの商品名でＢＡＳＦ社から市販されている。好適な（Ａ）キレート成分の更なる非限定的例は、ＤＩＳＳＯＬＶＩＮＥ（登録商標）ＧＬの商品名で、イリノイ州シカゴのＡｋｚｏＮｏｂｅｌ社から市販されている。適切なキレート剤の他の非限定的例は、Schneiderらにより米国特許第５，７８６，３１３号に、Stolteらにより米国特許出願公開第２００９／０１０５１１４号に記載されており、その開示は、本願明細書に記載された本開示の一般的範囲と矛盾しない程度に、その全体が参照により本願明細書に援用されている。
【００５３】
様々な実施態様では、キレート剤は、それぞれ１００質量部の均一な洗剤組成物を基準として、０〜約４５質量部、約５〜約４０質量部、約１０〜約３０質量部、約１２〜約２８質量部、約１４〜約１６質量部、約１６〜約２４質量部、又は約１８〜約２２質量部の量で存在する。特定の実施態様では、キレート剤は、１００質量部の均一な洗剤組成物を基準として約１７〜約１９質量部の量で存在する。キレート剤は上記の量に限定されず、上記の量内又はその間の任意の量又は量の範囲を含み得る。
【００５４】
均一な洗剤組成物中に含まれ得る添加剤：
均一な洗剤組成物は、１つ以上の添加剤、例えば、補足ビルダー成分、漂白剤、酵素、塩、灰色化阻害剤、汚れ放出ポリマー、色移り防止剤、発泡防止剤、錯化剤、蛍光増白剤、香料、充填剤、無機増量剤、製剤補助剤、溶解性向上剤、乳白剤、染料、腐食防止剤、過酸化物安定剤、電解質、石鹸、洗剤、酸、例えば、リン酸、アミドスルホン酸、クエン酸、乳酸、酢酸、過酸、及びトリクロロイソシアヌル酸、キレート剤、例えば、香料、油、酸化剤、例えば、過ホウ酸、ジクロロイソシアヌレート、酵素、界面活性エチレン付加物、界面活性剤、及びそれらの組合せを含み得る。
【００５５】
均一な洗剤組成物は界面活性剤を含み得る。一実施態様では、均一な洗剤組成物は、非イオン性界面活性剤を含む。非イオン性界面活性剤の例としては、限定されずに、アルキルフェノールアルコキシレート、アルコールアルコキシレート、アルキルポリグルコシド、ヒドロキシアルキルポリグルコシド、ヒドロキシル混合エーテル、Ｎ−アルキルグルカミド、アルキレンオキシドブロックコポリマー、ポリヒドロキシ及びポリアルコキシ脂肪酸誘導体、及びこれらの組み合わせが挙げられる。
【００５６】
様々な実施態様では、非イオン性界面活性剤は、それぞれ１００質量部の均一な洗剤組成物を基準として、約０．１〜約１０質量部、約０．３〜約９質量部、約０．５〜約８質量部、約０．７〜約７質量部、約０．９〜約６質量部、約１．１〜約５質量部、約１．３〜約４質量部、約１．５〜約３質量部、又は約１．７〜約２質量部の量で均一な洗剤組成物中に存在する。界面活性剤の量は、上記の量に限定されず、上記の量内又はその間の任意の量又は量の範囲を含み得る。
【００５７】
均一な洗剤組成物は酵素を含み得る。酵素は、プロテアーゼ、例えば、ＳＡＶＩＮＡＳＥ（登録商標）及びＥＳＰＥＲＡＳＥ（登録商標）、リパーゼ、例えば、ＬＩＰＯＬＡＳＥ（登録商標）、セルラーゼ、例えば、ＣＥＬＬＵＺＹＭＥ（登録商標）、及びそれらの組み合わせを含み得る。ＳＡＶＩＮＡＳＥ（登録商標）、ＥＳＰＥＲＡＳＥ（登録商標）、ＬＩＰＯＬＡＳＥ（登録商標）、及びＣＥＬＬＵＺＹＭＥ（登録商標）は、それぞれ、ニュージャージー州プリンストンのＮｏｖｏ  Ｎｏｒｄｉｓｋ社から市販されている。酵素は、代替的に、アミラーゼ、リパーゼ、セルラーゼ、又はペルオキシダーゼ、又はこれらの組み合わせを含み得る。酵素は、汚れを破壊し、タンパク質をより小さくてより複雑な分子に分解し得る、及び／又は炭水化物を分解し得る。一実施態様では、キレート剤は、ビルダー及び／又は洗剤組成物の性能を向上させる酵素と優れた相溶性を有する。好適な酵素の更なる非限定的例は、ＰＲＯＰＥＲＡＳＥ（登録商標）ＬなどのＰＲＯＰＥＲＡＳＥ（登録商標）の商品名で、及びＰＵＲＡＳＴＡＲ（登録商標）ＨＰ  ＡｍなどのＰＵＲＡＳＴＡＲ（登録商標）の商品名で、デンマーク、コペンハーゲンのＤａｎｉｓｃｏ  Ａ／Ｓ社から市販されている。一実施態様では、酵素はプロテアーゼ及びアミラーゼを含む。特別な実施態様では、酵素はＴＷＩＮＰＯＷＥＲ（登録商標）の商品名で市販されている。
【００５８】
様々な実施態様では、酵素は、それぞれ１００質量部の均一な洗剤組成物を基準として、約０．０１〜約１０質量部、約０．１〜約５質量部、約０．５〜３質量部、又は約２質量部の量で均一な洗剤組成物中に存在する。酵素の量は、上記の量に限定されず、上記の量内又はその間の任意の量又は量の範囲を含み得る。
【００５９】
均一な洗剤組成物は腐食防止剤を含み得る。様々な腐食防止剤は、均一な洗剤組成物中で使用され得る。一実施態様では、腐食防止剤はケイ酸ナトリウムを含む。他の実施態様では、腐食防止剤はメタケイ酸ナトリウムを含む。これらの防止剤は、潤滑剤として作用することにより、ワッシャの金属部品の保護を提供し且つ陶器の模様や金属製食器／調理器具の保護を提供し得る。好適な腐食防止剤の別の例は硫酸亜鉛である。好適な補助的な腐食防止剤の例は、ＢＡＳＦ社及びペンシルベニア州ピッツバーグのFisher Scientific社から市販されている。
【００６０】
様々な実施態様では、腐食防止剤は、それぞれ１００質量部の均一な洗剤組成物を基準として、約１〜約４５質量部、約３〜約２０質量部、又は約５〜約１０質量部の量で均一な洗剤組成物中に存在する。一実施態様では、腐食防止剤は、１００質量部の均一な洗剤組成物を基準として、約６〜８質量部の量で存在する。均一な洗剤組成物は、２つ以上の腐食防止剤の組み合わせを含み得る。幾つかの実施態様では、腐食防止剤は、腐食防止剤を均一な洗剤組成物中に導入する前に溶媒に懸濁され得る。腐食防止剤の量は、上記の量に限定されず、上記の量内又はその間の任意の量又は量の範囲を含み得る。
【００６１】
均一な洗剤組成物は漂白剤を含み得る。漂白剤としては、限定されずに、アルカリ金属過ホウ酸塩、アルカリ金属炭酸塩過水和物、過酸、及びそれらの組み合わせが挙げられる。過酸の好適な例としては、限定されずに、過酢酸、Ｃ１〜Ｃ１２ペルカルボン酸、Ｃ８〜Ｃ１６ジペルカルボン酸、イミドペルカプロン酸、アリールジペルカプロン酸、直鎖状及び分枝鎖状のオクタン酸、ノナン酸、デカン酸又はドデカン酸のモノ過酸化物、デカン及びドデカンジ過酸化物、モノ及びジペルフタル酸、イソフタル酸及びテレフタル酸、フタルイミドペルカプロン酸、テレフタロイルジペルカプロン酸、ポリマー過酸化物、それらの塩、及びこれらの組み合わせが挙げられる。漂白剤は、任意の量で均一な洗剤組成物中に存在し得る。一実施態様では、漂白剤は、約０．５〜約３０質量％の量で均一な洗剤組成物中に存在する。
【００６２】
特別な実施態様では、均一な洗剤組成物は、アルカリビルダーを含む。アルカリビルダーは、炭酸ナトリウムを含み且つ１００質量部の均一な洗剤組成物を基準として少なくとも約３５質量部の量で存在する。均一な洗剤組成物は、アルカリビルダーを分散させるためにポリカルボキシレートも含み、ポリカルボキシレートは、約２，０００〜約２０，０００の質量平均分子量を有するアクリル酸の重合生成物；スルホン酸アクリレートとアクリル酸の重合生成物；アクリル酸、マレイン酸、及びアリルエーテルの重合生成物；アクリル酸とイソプロピルアルコールの重合生成物；マレイン酸とジイソブテンの重合生成物、及びアクリル酸、メタクリル酸、及び式Ｉのイオン性モノマーの重合生成物の群から選択される。均一な洗剤組成物は、アルカリバインダーを更に分散させるための溶媒を更に含む。溶媒は、水、グリセリン、又はそれらの組み合わせを含み、１００質量部の均一な洗剤組成物を基準として、約２０〜約４５質量部の量で存在する。均一な洗剤組成物は、１００質量部の均一な洗剤組成物を基準として約１〜約４５質量部の量で存在するキレート剤を更に含む。キレート剤は、メチルグリシン二酢酸、ニトリロ三酢酸；グリシン二酢酸；エチレンジアミン四酢酸；イミノジスクシンイミド、及びこれらの組み合わせからなる群から選択されるポリアミノカルボン酸又はその塩を含む。均一な洗剤組成物は、１００質量部の均一な洗剤組成物を基準として約０．１〜約１０質量部の量で存在する非イオン性界面活性剤を更に含む。均一な洗剤組成物は更にケイ酸塩を含む。ケイ酸塩は、ケイ酸ナトリウム、メタケイ酸ナトリウム、又はそれらの組み合わせを含み、１００質量部の均一な洗剤組成物を基準として約１〜約４５質量部の量で存在する。均一な洗剤組成物は更に酵素を含む。酵素は、アミラーゼ、プロテアーゼ、又はそれらの組み合わせを含み、１００質量部の均一な洗剤組成物を基準として約０．０１〜約１０質量部の量で存在する。均一な洗剤組成物は、２５℃で約１９，０００〜約７５０，０００ｃＰの粘度を有する。
【００６３】
均一な洗剤組成物は、液体及び固体の両方の原料を含む。均一な洗剤組成物は、通常、全ての固体原料を組み合わせて製造される。固体原料は通常、微細な粉末として提供される。固体原料が微細な粉末として提供されない場合、固体原料は、一般に微細な粉末を得るために粉砕される。粉末の粉砕方法は当該技術分野で理解されている。液体原料は、一緒に混合されて約２５℃〜約６０℃の温度に加熱される。固体原料は、液体原料に添加され、完全に混合されて均一な洗剤組成物を生成する。当該技術分野で理解されている様々な容器、ミキサー、ブレンダー及び類似の機械が利用され得る。混合後、均一な洗剤組成物を冷却させる。均一な洗剤組成物が酵素を含む場合、酵素は、均一な洗剤組成物が４０℃未満まで冷却された後に添加される。均一な洗剤組成物は、特定の製造方法に限定されない。従来の方法及び装置が利用され得る。
【００６４】
本開示は洗剤パケットも提供する。洗剤パケットは、水溶性パケットを含む。水溶性パケットは空洞を規定している。均一な洗剤組成物は、空洞内に配置されている。通常、空洞全体の大部分に均一な洗剤組成物が充填されている。
【００６５】
通常、水溶性パケットは、水溶性のシート又はフィルムを形成することによって作られる。当該技術分野で公知のように、水溶性パケットは、パウチ又はサッシェとも呼ばれる。様々な方法が水溶性フィルムを製造するために当該技術分野で知られている。水溶性シート又はフィルム材料は、通常、可撓性である。
【００６６】
水溶性パケットは様々なポリマーから形成され得る。通常、ポリマーは、ポリビニルアルコール、ポリビニルアルコールコポリマー、部分的に加水分解したポリ酢酸ビニル、セルロース誘導体（例えば、アルキルセルロース、ヒドロキシアルキルセルロース、アルキルセルロース及びヒドロキシアルキルセルロースの塩、エーテル及びエステル、例えば、ヒドロキシプロピルセルロース、ヒドロキシプロピルメチルセルロース及びナトリウムカルボキシメチルセルロース）ポリグリコリド、ポリグリコール酸、ポリ乳酸、ポリ乳酸；ポリビニルピロリジン、ポリアクリル酸又はその塩若しくはそのエステル、ポリマレイン酸又はその塩若しくはそのエステル、デキストリン、マルトデキストリン、ポリアクリルアミド、アクリル酸／無水マレイン酸コポリマー、例えば、コポリマー（ターポリマー、ブロックコポリマー等の多くのポリマー形態を含む）、及びブレンドの群から選択される。場合により、充填剤、可塑剤及び加工助剤も、本願明細書で使用される水溶性パケットの配合物中に含まれ得る。特別な実施態様では、水溶性パケットはポリビニルアルコールを含む。
【００６７】
通常、水溶性パケットは、典型的な食器洗浄機洗浄サイクルの間に完全に溶解する。換言すれば、食器洗浄機サイクルの完了後、水溶性パケットの残留物は食器洗浄機内に全く見られない。
【００６８】
均一な洗剤組成物は、水溶性洗剤パケットの空洞に置かれる。均一な洗剤組成物は、一般に、水溶性パケットに悪影響を与えない。悪影響の例は、水溶性パケットの破損が起こる（即ち、１つ以上の穴が水溶性パケットに形成され、これが均一な洗剤組成物を水溶性パケットから流出させる）ような、水溶性パケットの溶解である。換言すれば、水溶性パケットと均一な洗剤組成物を含む洗剤パケットは、６ヶ月間、室温条件下で貯蔵安定性である。別の悪影響の例は、非相溶性の成分（即ち、水溶性パケットを架橋する均一な洗剤組成物中の成分）に起因する水溶性パケットの架橋である。架橋した水溶性パケットは、食器洗浄機の洗浄サイクルの間に非常にゆっくりと溶解するか又はあまり溶解しない。
【００６９】
均一ではなく且つ溶媒を含有する従来の洗剤配合物は、相分離する傾向がある。更に詳細には、相分離の間に、従来の洗剤配合物中に含有される水及び／又は溶媒は、従来の洗剤配合物中に含有される原料から離れて移動する。その結果、かかる従来の洗剤配合物が、水溶性パケットの空洞内に置かれた場合、相分離は水溶性パケットに悪影響を及ぼす。逆に、本開示の均一な洗剤配合物は、均一であるため、一般に、水溶性パケットに悪影響を与えない。換言すれば、均一な洗剤組成物は、安定であり、一般に、相分離しないので、本開示の均一な洗剤組成物は水溶性パケットに悪影響を与えない。
【００７０】
本開示の均一な洗剤組成物を例示する、以下の例は、例示を意図しており、本開示を限定することを意図するものではない。
【図面の簡単な説明】
【００７１】
【図１】図１のＡ及びＢは、均一な洗剤組成物の２５℃及び４０℃での粘度を時間の関数として示す散布図である。
【図２】図２は、均一な洗剤組成物の粘度を時間と温度の関数として示す散布図である。
【図３】図３は、均一な洗剤組成物の洗浄力を示す箱髭図である。
【００７２】
実施例
均一な洗剤組成物の様々な配合物を、スポッティング、フィルミング、洗浄力及びレオロジー特性を決定するために評価する。様々な配合物（均一な洗剤組成物の全質量を基準として原料の質量パーセントで表す）を、以下の表１及び表２に記載する。配合物を混合する方法を表３に示す。フィルミング及びスポッティングの結果も以下に記載する。洗浄力及びレオロジー特性の結果を、以下に簡潔に記載し、図面に更に詳細に記載する。
【表１】
2016509095.tif 000003
【表２】
2016509095.tif 000004
【００７３】
ポリカルボキシレート１は、スルホン酸アクリレートとアクリル酸との重合生成物である。
ポリカルボキシレート２は、アクリル酸との重合生成物である。
ポリカルボキシレート３は、マレイン酸とジイソブテンとの重合生成物である。
溶媒１は水である。
溶媒２はグリセリンである。
キレート剤は、粒状ポリアミノカルボン酸であり、ＢＡＳＦ社から市販されている。
添加剤１は、約４７％のアルカリケイ酸塩と約５３％の水を含有する水性アルカリケイ酸塩である。
添加剤２は、ＢＡＳＦ社から市販されている非イオン性界面活性剤である。
添加剤３は、Ｇｅｎｅｎｃｏｒ社から市販されている酵素である。
添加剤４はＵｎｉｖａｒ社から市販されている酵素である。
添加剤５はＮｏｖｏｚｙｍｅｓ社から市販されている酵素である。
添加剤６はＢＡＳＦ社から市販されているブロックコポリマー界面活性剤である。
添加剤７はＢＡＳＦ社から市販されているアルキルポリグリコシド界面活性剤である。
【００７４】
【表３】
2016509095.tif 000005
【００７５】
配合物１及び３はスポッティングについて評価する。配合物１、３及び９〜１２はフィルミングについて評価する。６つの飲用グラスを、各実験について、スポット及びすじのない開始条件を完全に保証するために、完全な洗浄、乾燥及び目視検査によって準備する。食器洗浄機を、前の試験からの汚れを除去するために、クエン酸、リン酸洗剤、及び水道水を用いて、汚れなしで１回の洗浄負荷を実行することによって準備する。洗剤又は硬水のない単一の濯ぎサイクルは、システムをフラッシュし、試験中の硬水の洗剤又は希釈液の持越しを防止するために実行される。
【００７６】
食器洗浄機及び６つの飲用グラスの両方を準備した後、６つの飲用グラスを食器洗浄機の上部ラックに配置する。下部ラックには、家庭使用条件をシミュレートするために、６×９インチの陶器板及び６×６インチの板を交互の位置に配置する。別個のホルダーには、家庭使用条件をシミュレートするために、６つのナイフ、６つのフォーク、及び６つのティースプーンを配置する。その後の洗浄サイクルでは、食器洗浄機のスプレーパターンの影響を排除する位置で、グラスを４分の１回転、回転させる。試験を、温めた機械で開始し、以下の汚れ負荷及び洗剤／濯ぎ助剤を投与して、３連続のサイクルにわたり実施する：第１サイクル−主洗浄カップに、２０グラムの洗剤、又は１単位用量の錠剤；予備洗浄で６インチ板のうちの１つに４０グラムの油脂汚れ；第２サイクル−主洗浄カップに、２０グラムの洗剤、又は１単位用量の錠剤；予備洗浄で６インチ板のうちの１つに４０グラムの油脂汚れ（１）；主洗浄でビーカー（下部ラック）に１２グラムの粉乳；第３サイクル−主洗浄カップに、２０グラムの洗剤、又は１単位用量の錠剤；予備洗浄で６インチ板のうちの１つに４０グラムの油脂汚れ（１）；主洗浄でビーカー（下部ラック）に１５グラムのブレンドした生卵。洗浄の実施は、３つの全サイクル後に、飲用グラスを、「スポット及びフィルミングが全くない」から「スポット、すじ及び／又は曇りで完全に覆われる」までの範囲をカバーする１．０〜５．０のスケールで、視覚的に評価する（確立された基準と比較するために暗い部屋でライトボックスを使用する）ことによって評価する。
【表４】
2016509095.tif 000006
【００７７】
配合物２、４及び６を洗浄力について評価する。試験材料センターからの汚れモニタを、洗浄前に、コニカミノルタ比色計を用いて評価する。着色混合デンプン（ＤＭ−７７）、紅茶（ＤＭ−１１）、二重汚れひき肉（ＤＭ−９２）及び卵黄（ＤＭ−２１）汚れのそれぞれの２つのモニタを、３カ所で試験してＬ＊、ａ＊、ｂ＊色空間における座標を決定する。
【００７８】
食器洗浄機は、各試験の間に、フィルターを完全に洗浄し、２５ｇのクエン酸で１サイクル運転し、水道水で濯ぎ、３００ｐｐｍの水でラインを充填することによって準備する。
【００７９】
それぞれのモニタのうちの１つが各ラックにあるように、モニタを、食器洗浄機内に均等に配置する。食器洗浄機を、３００ｐｐｍの手動硬化水を使用して熱乾燥オプションで１時間の洗浄サイクルに設定し、主洗浄カップを閉じる。主洗浄カップを開く時（洗浄サイクルに１２分３０秒）に、ドアを開き、２０ｇの洗剤を含有する１５０ｍｌのビーカーを、上部ラックの最前部の右位置で反転させる。その後、サイクルを再開する。
【００８０】
サイクルが完了した後、コニカミノルタ比色計の使用前に、モニタを取り出して試験する。Ｌ＊、ａ＊、及びｂ＊位置の変化を計算し、完全に洗浄されたモニタと比較して、それぞれのパネルの洗浄パーセントを決定する。
【００８１】
洗浄力は、卵、肉、デンプン及び紅茶で汚された試料における洗浄パーセントを調べる。試料に含まれるのは、比較目的のためのブランク（即ち、洗剤なしの評価）及び従来の食器洗浄機用洗剤である。洗浄試験の結果を図３に示す。従来の洗剤をＣＤとしてラベルし、ブランクをＮＤとしてラベルする。
【００８２】
フィルミング、スポッティング及び洗浄試験からの結果は、配合物が優れた洗浄特性を有することを示す。
【００８３】
配合物１〜１０の粘度を、ソフトウェアＲｈｅｏｐｌｕｓを有するアントンパール（Ａｎｔｏｎ  Ｐａａｒ）社製のＰｈｙｓｉｃａ  ＭＣＲ  ３０１レオメーターを用いて測定する。粘度を、ＰＰ５０測定スピンドルを機器に挿入することにより測定する。ゼロギャップを、Ｒｈｅｏｐｌｕｓを用いて較正する。「リフト」位置でスピンドルを使用して、約３ｍｌの試料をプラットフォーム上に載せる。スピンドルを、「測定」位置に移動させ、過剰の試料をスピンドルの端からトリミングする。粘度を２５℃で１００秒−１の剪断速度で測定する。粘度測定の結果を図１に示す。特に、図１〜３の数字は、配合物１〜１０に対応する。結果は、配合物１〜１０の粘度が高いことを示す。
【００８４】
配合物１〜１０の粘度を、温度依存性及び揺変性についても評価する。温度依存性及び揺変性の評価を行い、その際、ソフトウェアＲｈｅｏｐｌｕｓを有するアントンパール社製のＰｈｙｓｉｃａ  ＭＣＲ  ３０１レオメーターを使用してレオロジーを評価する。ＰＰ５０測定スピンドルを機器に挿入する。ゼロギャップをＲｈｅｏｐｌｕｓを用いて較正する。スピンドルが「リフト」位置である時に、約３ｍｌの試料をプラットフォーム上に載せる。次に、スピンドルを「測定」位置に移動させ、過剰の試料をスピンドルの端からトリミングする。１００秒−１の一定の剪断速度にて、粘度を、２５℃及び４０℃でそれぞれ５分間評価し、図１Ａ及び図１Ｂに示す。
【００８５】
温度依存性を、２０℃で開始し、５℃の増分で増加し、それぞれの温度で２分間維持して、４０℃の最大温度までプログラムを使用して１０秒−１の一定の剪断速度で更に評価する。最大温度で２分間維持した後、温度は５℃の増分で低下し、２０℃の最低温度まで、それぞれの温度で２分間維持する。４回の粘度測定をそれぞれの工程で行う。
【００８６】
温度依存性及び揺変性の結果を図１及び図２に示す。特に、図１〜２の数字は配合物１〜１０に対応する。結果は、配合物の粘度が、揺変性及び温度依存性の両方であることを示す。更に詳細には、結果は、温度の小さな変化が、配合物の粘度に大きな影響を与えることを示す。更に、溶媒の選択、溶媒量、ポリカルボキシレートの選択、及びアルカリビルダーとアルカリビルダーの粒径の選択、並びに配合物内に含有される他の固体原料は、一般に、配合物の粘度を操作する。
【００８７】
添付の特許請求の範囲は、詳細な説明に記載された表現及び特定の化合物、組成物、又は方法に限定されず、添付の特許請求の範囲内に入る特定の実施態様の間で変化し得ることが理解されるべきである。種々の実施態様の特定の特徴又は態様を記載するために本願明細書で依存する任意のマーカッシュ群に関して、異なる、特別な及び／又は予想外の結果が、全ての他のマーカッシュメンバーから独立した各マーカッシュ群の各メンバーから得られる。マーカッシュ群の各メンバーは、個々に又は組み合わせて依存されることがあり、添付の特許請求の範囲内の特定の実施態様について適切な裏付けを提供する。
【００８８】
更に、本開示の種々の実施態様を記載する際に依存される任意の範囲及び部分範囲は、独立的及び包括的に添付の特許請求の範囲内に含まれ、そのような値が本願明細書中に明記されていなくても、その中で整数値及び／又は小数値を含む全ての範囲を記載し且つ想定することが理解されるべきである。当業者は、列挙された範囲及び部分範囲が本開示の種々の実施態様を十分に記載し且つ可能にし、かかる範囲及び部分範囲が、関連する２分の１、３分の１、４分の１、５分の１等で更に詳細に記載され得ることを容易に理解する。ほんの一例として、「０．１〜０．９の」範囲は、下方の３分の１、即ち、０．１〜０．３、中央の３分の１、即ち、０．４〜０．６、上方の３分の１、即ち、０．７〜０．９で更に詳細に記載することができ、これらは個別的に且つ包括的に添付の特許請求の範囲内に含まれ、個別に及び／又は包括的に依存され、添付の特許請求の範囲内の特定の実施態様について適切な裏付けを提供する。加えて、「少なくとも」、「よりも大きい」、「未満」、「以下」などの範囲を規定又は修飾する言葉に関して、そのような言葉は、部分範囲及び／又は上限若しくは下限を含むことが理解されるべきである。別の例として、「少なくとも１０」の範囲は、本質的に、少なくとも１０〜３５の部分範囲、少なくとも１０〜２５の部分範囲、２５〜３５の部分範囲などを含み、各部分範囲は、個別的に及び／又は包括的に依存され得、添付の特許請求の範囲内の特定の実施態様について適切な裏付けを提供する。最後に、開示された範囲内の個々の数値は、添付の特許請求の範囲内の特定の実施態様に依存され得、該実施態様について適切な裏付けを提供する。例えば、「１〜９の」範囲は、種々の個々の整数、例えば３、及び小数点を含む個々の数値（又は分数）、例えば４．１を含み、これは添付の特許請求の範囲内の特定の実施態様に依存され得、該実施態様について適切な裏付けを提供する。
【００８９】
本開示を例示的な方法で記載してきたが、使用した用語は、限定よりもむしろ説明の用語の範疇にあることが意図されることが理解されるべきである。本開示の多くの修飾及び変更は、上記の教示に照らして可能である。本開示は、具体的な記載以外でも実施され得る。独立項並びに単項従属及び多項従属の両方の従属項の全ての組み合わせの主題は、本願明細書において明確に想定されている。
【図１−１】
2016509095.tif 000010
【図１−２】
2016509095.tif 000011
【図２】
2016509095.tif 000012
【図３】
2016509095.tif 000013
【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
均一な洗剤組成物であって、
１００質量部の前記均一な洗剤組成物を基準として少なくとも約３５質量部の量で存在するアルカリビルダー；
前記アルカリビルダーを分散させるためのポリカルボキシレートであって、
スルホン酸アクリレートとアクリル酸との重合生成物、
アクリル酸、マレイン酸、及びアリルエーテルの重合生成物、
アクリル酸とイソプロピルアルコールとの重合生成物、
マレイン酸とジイソブテンとの重合生成物、
アクリル酸、メタクリル酸、及び以下の式（Ｉ）
【化１】
2016509095.tif 000014
（式（Ｉ）において、Ｒ１は水素又はメチル基であり、Ｒ２は直鎖状又は分枝鎖状のＣ１〜Ｃ６アルキレンであり、Ｒ３はそれぞれ個別に直鎖状又は分枝鎖状のＣ２〜Ｃ４アルキレン基であり、Ｒ４は直鎖状又は分枝鎖状のＣ１〜Ｃ６アルキルであり、且つｎは３〜５０の整数である）
のイオン性モノマーの重合生成物
及びそれらの組み合わせ
の群から選択される、前記ポリカルボキシレート；及び
前記アルカリビルダーを更に分散させ且つ１００質量部の前記均一な洗剤組成物を基準として約２０〜約４５質量部の量で存在する溶媒
を含み、
２５℃で少なくとも約１５，０００ｃＰの粘度を有する、前記均一な洗剤組成物。
【請求項２】
２５℃で約１９，０００〜約７５０，０００ｃＰの粘度を有する、請求項１に記載の均一な洗剤組成物。
【請求項３】
１００質量部の前記均一な洗剤組成物を基準として約０．１〜約１０質量部の量で存在する非イオン性界面活性剤を更に含む、請求項１又は２に記載の均一な洗剤組成物。
【請求項４】
１００質量部の前記均一な洗剤組成物を基準として約１〜約４５質量部の量でキレート剤を更に含む、請求項１から３までのいずれか１項に記載の均一な洗剤組成物。
【請求項５】
前記キレート剤が、メチルグリシン二酢酸、ニトリロ三酢酸；グリシン二酢酸；エチレンジアミン四酢酸；イミノジスクシンイミド、及びこれらの組み合わせの群から選択されるポリアミノカルボン酸又はその塩を含む、請求項４に記載の均一な洗剤組成物。
【請求項６】
ケイ酸塩を更に含む請求項１から５までのいずれか１項に記載の均一な洗剤組成物であって、
前記ケイ酸塩が、１００質量部の前記均一な洗剤組成物を基準として約１〜約４５質量部の量で存在する；及び／又は
前記ケイ酸塩が、ケイ酸ナトリウム、メタケイ酸ナトリウム、又はそれらの組み合わせを含む、前記均一な洗剤組成物。
【請求項７】
１００質量部の前記均一な洗剤組成物を基準として約０．０１〜約１０質量部の量で存在する酵素を更に含む請求項１から６までのいずれか１項に記載の均一な洗剤組成物。
【請求項８】
前記溶媒が水、グリセリン、又はそれらの組み合わせを含む、請求項１から３までのいずれか１項に記載の均一な洗剤組成物。
【請求項９】
前記アルカリビルダーが炭酸ナトリウムを含む、請求項１から３までのいずれか１項に記載の均一な洗剤組成物。
【請求項１０】
均一な洗剤組成物であって、
炭酸ナトリウムを含み且つ１００質量部の前記均一な洗剤組成物を基準として少なくとも約３５質量部の量で存在するアルカリビルダー；
前記アルカリビルダーを分散させるためのポリカルボキシレートであって、
ｉ）約２，０００〜約２０，０００の質量平均分子量を有するアクリル酸の重合生成物、
ｉｉ）スルホン酸アクリレートとアクリル酸との重合生成物、
ｉｉｉ）アクリル酸、マレイン酸、及びアリルエーテルの重合生成物、
ｉｖ）アクリル酸とイソプロピルアルコールとの重合生成物、
ｖ）マレイン酸とジイソブテンとの重合生成物、及び
ｖｉ）アクリル酸、メタクリル酸、及び以下の式（Ｉ）
【化２】
2016509095.tif 000015
（式（Ｉ）において、Ｒ１は水素又はメチル基であり、Ｒ２は直鎖状又は分枝鎖状のＣ１〜Ｃ６アルキレンであり、Ｒ３はそれぞれ個別に直鎖状又は分枝鎖状のＣ２〜Ｃ４アルキレン基であり、Ｒ４は直鎖状又は分枝鎖状のＣ１〜Ｃ６アルキルであり、且つｎは３〜５０の整数である）
のイオン性モノマーの重合生成物
の群から選択される、前記ポリカルボキシレート；
前記アルカリビルダーを更に分散させるための溶媒であって、水、グリセリン又はそれらの組み合わせを含み且つ１００質量部の前記均一な洗剤組成物を基準として約２０〜約４５質量部の量で存在する、前記溶媒；
１００質量部の前記均一な洗剤組成物を基準として約１〜約４５質量部の量で存在し且つ
ｉ）メチルグリシン二酢酸、
ｉｉ）ニトリロ三酢酸、
ｉｉｉ）グリシン二酢酸、
ｉｖ）エチレンジアミン四酢酸、
ｖ）イミノジスクシンイミド、及び
ｖｉ）これらの組み合わせ
の群から選択されるポリアミノカルボン酸又はその塩を含む、キレート剤；
１００質量部の前記均一な洗剤組成物を基準として約０．１〜約１０質量部の量で存在する非イオン性界面活性剤；
ケイ酸ナトリウム、メタケイ酸ナトリウム、又はそれらの組み合わせを含み且つ１００質量部の前記均一な洗剤組成物を基準として約１〜約４５質量部の量で存在するケイ酸塩；及び
アミラーゼ、プロテアーゼ、又はそれらの組み合わせを含み且つ１００質量部の前記均一な洗剤組成物を基準として約０．０１〜約１０質量部の量で存在する酵素；
を含み、
２５℃で約１９，０００〜約７５０，０００ｃＰの粘度を有する、前記均一な洗剤組成物。
【請求項１１】
洗剤パケットであって、
空洞を規定する水溶性パケット；及び
前記空洞内に配置される均一な洗剤組成物であって、
１００質量部の前記均一な洗剤組成物を基準として少なくとも約３５質量部の量で存在するアルカリビルダー、
前記アルカリビルダーを分散させるためのポリカルボキシレートであって、
スルホン酸アクリレートとアクリル酸との重合生成物、
アクリル酸、マレイン酸、及びアリルエーテルの重合生成物、
アクリル酸とイソプロピルアルコールとの重合生成物、
マレイン酸とジイソブテンとの重合生成物、
アクリル酸、メタクリル酸、及び以下の式（Ｉ）
【化３】
2016509095.tif 000016
（式（Ｉ）において、Ｒ１は水素又はメチル基であり、Ｒ２は直鎖状又は分枝鎖状のＣ１〜Ｃ６アルキレンであり、Ｒ３はそれぞれ個別に直鎖状又は分枝鎖状のＣ２〜Ｃ４アルキレン基であり、Ｒ４は直鎖状又は分枝鎖状のＣ１〜Ｃ６アルキルであり、且つｎは３〜５０の整数である）
のイオン性モノマーの重合生成物
及びそれらの組み合わせ
の群から選択される、前記ポリカルボキシレート；及び
前記アルカリビルダーを更に分散させ且つ１００質量部の前記均一な洗剤組成物を基準として約２０〜約４５質量部の量で存在する溶媒
を含む前記均一な洗剤組成物
を含み、
前記均一な洗剤組成物が２５℃で少なくとも約１５，０００ｃＰの粘度を有する、前記洗剤パケット。
【請求項１２】
前記水溶性パケットがポリビニルアルコールを含む、請求項１１に記載の洗剤パケット。
【国際調査報告】
2016509095.tif 000017
2016509095.tif 000018
2016509095.tif 000019